(57)【特許請求の範囲】
【請求項１】
散布機の支持フレームを介して三点リンクによりトラクタに連結されるホッパーと、ホッパー底面に取り付けられ開閉可能のシャッターと、シャッター近傍で支持フレーム内側かつホッパー底面の底板側方に設置され三点リンク等のトラクタ装着部へ干渉しない位置に配置される調整ボックスとを具備し、調整ボックスには、モータ、ピニオンギア、ラック及びスライドプレートを収納して設け、スライドプレートは、シャッター側に設置されかつ連結棒を介してシャッターに連結されるとともに、モータ正逆回転によりピニオンの回転とラックの移動を介して往復移動されることによりシャッターを開閉することを特徴とする散布機。
【発明の詳細な説明】
【０００１】
【産業上の利用分野】
この発明は、散布機に係る。詳細には、肥料等粉状物の散布に適する散布機に係る。更に詳細には、トラクタに牽引されて肥料等を散布する散布機に係る。
【０００２】
【従来の技術】
従来散布機としては、特開昭６１ー２８９８０９「農用散布機の開閉装置」（従来例）が知られている。同開閉装置は、「ホッパーの底面に沿うシャッタに仲介部材を介して開閉レバーを連結し、この開閉レバーにモータにて駆動される伝導部材又は油圧シリンダのピストン杆を連結し、該モータ又は油圧シリンダを操作する操作スイッチをキャビン内の運転席に設け、開閉レバーの回動幅の両端にシャッタの開度を設定する開き側のリミットスイッチと閉じ側のリミットスイッチを設け、前記開き側のリミットスイッチを開閉レバーの近傍において移動調整可能」とするものである。
【０００３】
【発明が解決しようとする課題】
しかしながら、従来例では、装置が大型化し３点リンク等の装着部の内側部分を占める容積が大きくなり、上下昇降等では邪魔となる課題を有した。
【０００４】
【課題を解決するための手段】
この発明は、散布機の支持フレームを介して三点リンクによりトラクタに連結されるホッパーと、ホッパー底面に取り付けられ開閉可能のシャッターと、シャッター近傍で支持フレーム内側かつホッパー底面の底板側方に設置され三点リンク等のトラクタ装着部へ干渉しない位置に配置される調整ボックスとを具備し、調整ボックスには、モータ、ピニオンギア、ラック及びスライドプレートを収納して設け、スライドプレートは、シャッター側に設置されかつ連結棒を介してシャッターに連結されるとともに、モータ正逆回転によりピニオンの回転とラックの移動を介して往復移動されることによりシャッターを開閉することを特徴とする散布機、
【０００５】
を提供する。
【０００６】
【作用】
モータを正逆回転させると、連結されるシャッターはモータの正逆回転により開閉作動する。シャッターの開閉に伴いホッパーに収納される被散布物は散布される。
【０００７】
【実施例】
この発明の実施例の正面図をあらわす図１、同一部拡大斜視図をあらわす図２、同一部拡大断面図である調整ボックスの一部拡大断面図をあらわす図３、図４、図５、同一部拡大斜視図であるダイヤルフレームの一部拡大斜視図をあらわす図６にしたがって説明する。
【０００８】
１１はトラクターである。この実施例では、トラクター１１にはキャビン１２が設置される。１３は、散布機でありこの実施例では粉状物の肥料を散布する肥料散布機からなる。１４は３点リンクであり、トラクター１１と散布機１３とを支持フレーム１５を介して連結する。１６はホッパーであり、支持フレーム１５により支持される。ホッパー１６には、被散布物例えば粉状の肥料を搭載する。１７は、ミッションでありホッパー１６の下部に設置される。１８は散布筒であり、ホッパー１６の下部に設置される。散布筒１８は、ミッション１７の作動により揺動作動され、肥料を散布する。
【０００９】
２１は、底板でありホッパー１６の底面を構成し扇型の開口部２２を放射状に４個設置する。２３は、シャッターであり部分的に開口部を設けられた板状体からなる。シャッター２３は、底板２１の中心に取り付けられミッション１７に連結されたセンター軸２４に底板２１に重ねるように設置される。センター軸２４を回転中心としてシャッター２３を回転させ、底板の開口部２２とシャッター２３側の開口部を一致させることで、ホッパー１６底面に開状態を取らせ、両開口部の位置をずらして底板２１側の開口部２２をふさぐことにより閉状態をとらせ、開状態と閉状態との間の状態を選択することによりホッパー１６底面の開口量を選択する。２５は連結棒であり、先端はシャッター２３の周辺部に取り付けられる。２６はブラケットであり、一端は連結棒２５に取り付けられる。
【００１０】
３１は調整ボックスである。調整ボックス３１は、ほぼ直方体からなり、支持フレーム１５の内側かつホッパー１６底面の底板２１側面に設置される。３２は、スライドプレートである。スライドプレート３２は、板状体からなり調整ボックス３１内に収納され、上下からガイド材３３により、調整ボックス３１内で幅方向に図４中左右にスライド自在に支持される。スライドプレート３２の一方の面であるホッパー１６側の面には、調整ボックス３１の幅方向に設けられた長孔３４を貫通したブラケット２６が取り付けられる。３５は、規制棒である。規制棒３５は、スライドプレート３２の他方の面である表面に対してほぼ直角に水平に取り付けられる。３６は、ラックでありスライドプレート３２の表面に固定される。３７はピニオンギアであり、ラック３６と噛合される。３８は、モータである。モータ３８は、ピニオンギア３７を正逆回転させる。３９は、コントロールボックスである。コントロールボックス３９は、トラクター１１のキャビン１２内の運転席脇に設置され、モータ３８の正逆回転、回転停止の操作を行う。
【００１１】
４１は、ダイヤルフレームである。ダイヤルフレーム４１は、図６に図示されるように、コ字型断面からなりコ字型部分で調整ボックス３１の表面板が挟まれ、図５に図示されるように表面板に沿って移動可能である。４２は、指示ダイヤル取り付け孔である。指示ダイヤル取り付け孔４２には指示ダイヤル４３がナットにより取り外し自在に取り付けられる。指示ダイヤル４３が移動する幅方向にそった調整ボックス３１表面にはシャッター２３の開度に応じた目盛りが記載される。４４は、ストッパーである。ストッパー４４は、ダイヤルフレーム４１の表面板の表面側の頂部位置かつ規制棒３５の高さ位置突起状に設置する。４５は、一方のリミットスイッチである。リミットスイッチ４５は、ダイヤルフレーム４１の裏面側板に規制棒３５の高さ位置に、ストッパー４４よりピニオンギア３７よりに設置される。４６は、他方のリミットスイッチである。リミットスイッチ４６は、リミットスイッチ４５とは反対側端のスライドプレート３２の下端高さ位置に設置される。リミットスイッチ４５、リミットスイッチ４６はモータ３８駆動回路に設置され感知することによりモータ作動をオフ状態とする。
【００１２】
次に実施例の作用について説明する。シャッター２３の開度を大きくする場合は、指示ダイヤル４３を調整ボックス３１の幅方向に移動させ、所望の最大開度を調整する。次に、コントロールボックス３９のスイッチを操作し、モータ３８を正回転させる。すると、ピニオンギア３７は回転されピニオンギア３７に噛合するラック３６は、図４図中左下側へ移動する。するとラック３６が固定されるスライドプレート３２も図４図中左側へ移動される。スライドプレート３２の移動に伴い、ブラケット２６、連結棒２５も図２斜め左下側に移動される。すると、連結棒２５に取り付けられたシャッター２３は、底板２１とシャッター２３との開口部が一致し孔が大きくなる方向に移動する。所望の開度まで移動させると、スライドプレート３２に取り付けられた規制棒３５がリミットスイッチ４５に接触しモータ駆動回路は切断され、モータ３８の駆動は停止される。万一リミットスイッチ４５に連結棒３５が接触しても停止しなかった場合は、ダイヤルフレーム４１に設けられたストッパー４４に衝突して停止される。
【００１３】
シャッター２３の開度を小さくする場合は、コントロールボックス３９のスイッチを操作し、モータ３８を逆回転させる。すると、ピニオンギア３７は回転されピニオンギア３７に噛合するラック３６は、図４図中右側へ移動する。するとラック３６が固定されるスライドプレート３２も図４図中右側へ移動される。スライドプレート３２の移動に伴い、ブラケット２６、連結棒２５も図２斜め上右側に移動される。すると、連結棒２５に取り付けられたシャッター２３は、底板２１とシャッター２３との開口部がずれ孔が小さくなる方向に移動する。所望の開度まで移動させると、スライドプレート３２が、スライドプレート３２の移動によりシャッター２３が完全に閉じる位置に設置されたリミットスイッチ４５に接触しモータ駆動回路は切断され、モータ３８の駆動は停止される。
【００１４】
【発明の効果】
したがって、この発明ではシャッターの近傍に調整ボックスが設置されるので、トラクタ装着部への干渉の問題がなくなる。
【図面の簡単な説明】
【図１】  この発明の実施例の正面図
【図２】  この発明の実施例の一部拡大斜視図
【図３】  この発明の実施例の一部拡大断面図
【図４】  この発明の実施例の一部拡大断面図
【図５】  この発明の実施例の一部拡大断面図
【図６】  この発明の実施例の一部拡大斜視図
【符号の説明】
１６    ホッパー
２３    シャッター
３２    スライドプレート
３８    モータ
【図１】
0003852785.tif 000002
【図２】
0003852785.tif 000003
【図３】
0003852785.tif 000004
【図４】
0003852785.tif 000005
【図５】
0003852785.tif 000006
【図６】
0003852785.tif 000007